(57)【要約】【課題】軸部が破損した取出口扉の軸部のみを簡便に補修する方法を実現する。【解決手段】本発明に係る補修方法は、扉体と、扉体の左右上端に設けられた軸部とを備え、自動販売機の商品取出口に設けられた軸受部に軸部を軸支して回動自在に架設された取出口扉の、軸部の補修方法であって、軸受部に軸支可能な形状および外径と、軸部を嵌入可能な内径と、を有する円筒状部材４を、軸部に嵌装することを特徴とする。【選択図】図３
2020177446.tif 000002
【特許請求の範囲】
【請求項１】
扉体と、前記扉体の左右上端に設けられた軸部とを備え、自動販売機の商品取出口に設けられた軸受部に前記軸部を軸支して回動自在に架設された取出口扉の、前記軸部の補修方法であって、
前記軸受部に軸支可能な形状および外径と、前記軸部を嵌入可能な内径と、を有する円筒状部材を、前記軸部に嵌装する補修方法。
【請求項２】
前記円筒状部材の外径は、前記軸受部の内径より０．６５〜０．８５ｍｍ小さい請求項１に記載の補修方法。
【請求項３】
前記円筒状部材の内径は、前記軸部の外径より０．２〜０．３ｍｍ大きい請求項１または２に記載の補修方法。
【請求項４】
前記円筒状部材は樹脂材料により形成されている請求項１〜３のいずれか１項に記載の補修方法。
【請求項５】
扉体と、前記扉体の左右上端に設けられた軸部とを備え、自動販売機の商品取出口に設けられた軸受部に前記軸部を軸支して回動自在に架設された取出口扉の、前記軸部を補修するための補修部材であって、
前記軸受部に軸支可能な形状および外径と、前記軸部を嵌入可能な内径と、を有する補修部材。
【発明の詳細な説明】
【技術分野】
【０００１】
本発明は、自動販売機の商品取出口に設けられた取出口扉の補修方法、および当該方法に使用可能な補修部材に関する。
【背景技術】
【０００２】
飲料や食品などの自動販売機の商品取出口には、異物の侵入を防ぐため、取出口扉が設けられることが一般的である。たとえば、特開２００８−２９３１１５号公報（特許文献１）および特開平９−１３４４７３号公報（特許文献２）には、左右上端を取出口の箱枠に軸支して、回動自在に架設されたフラッパ式の取出口扉が開示されている。これらの取出口扉は、排出された商品の視認性と、取出口扉の生産性とを確保するべく、扉体と軸部とが透明樹脂により一体に形成されることが多い。
【先行技術文献】
【特許文献】
【０００３】
【特許文献１】特開２００８−２９３１１５号公報
【特許文献２】特開平９−１３４４７３号公報
【発明の概要】
【発明が解決しようとする課題】
【０００４】
ところで、特許文献１および特許文献２のようなフラッパ式の取出口扉は、軸部が摩擦による負荷を受けやすく、軸部において破損が生じる傾向があった。しかし、扉体と軸部とが一体に形成された取出口扉においては、軸部のみを交換することは不可能だった。そのため、部分的な破損にもかかわらず取出口扉の全体を交換する非効率な補修方法が強いられていた。
【０００５】
また、特許文献１のように、フラッパ式の取出口扉の自重による自動閉止を制動する制動器を備える構成が汎用される。このとき、制動器と取出口扉とは、前述の軸部を制動器に支持させる態様で接続されることが一般的である。そのため、軸部が破損すると、制動機能が損なわれる場合があった。この場合、商品を取り出す際に取出口扉が閉まらないように片手で開口状態を保つ必要がある、取出口扉が閉まる際に騒音が生じるなど、利便性が損なわれうる。そのため、早急な修復が望まれる。
【課題を解決するための手段】
【０００６】
そこで、軸部が破損した取出口扉の軸部のみを簡便に補修する方法の実現が求められる。
【０００７】
本発明に係る補修方法は、扉体と、前記扉体の左右上端に設けられた軸部とを備え、自動販売機の商品取出口に設けられた軸受部に前記軸部を軸支して回動自在に架設された取出口扉の、前記軸部の補修方法であって、前記軸受部に軸支可能な形状および外径と、前記軸部を嵌入可能な内径と、を有する円筒状部材を、前記軸部に嵌装することを特徴とする。
【０００８】
また、本発明に係る補修部材は、扉体と、前記扉体の左右上端に設けられた軸部とを備え、自動販売機の商品取出口に設けられた軸受部に前記軸部を軸支して回動自在に架設された取出口扉の、前記軸部を補修するための補修部材であって、前記軸受部に軸支可能な形状および外径と、前記軸部を嵌入可能な内径と、を有することを特徴とする。
【０００９】
これらの構成によれば、軸部が破損した取出口扉の軸部のみを補修できる。そのため、破損していない扉体部分を再利用できる。
【００１０】
以下、本発明の好適な態様について説明する。ただし、以下に記載する好適な態様例によって、本発明の範囲が限定されるわけではない。
【００１１】
本発明に係る補修方法は、一態様として、前記円筒状部材の外径は、前記軸受部の内径より０．６５〜０．８５ｍｍ小さいことが好ましい。
【００１２】
この構成によれば、補修後の取出口扉の回動を行いやすい。
【００１３】
本発明に係る補修方法は、一態様として、前記円筒状部材の内径は、前記軸部の外径より０．２〜０．３ｍｍ大きいことが好ましい。
【００１４】
この構成によれば円筒状部材を軸部に確実に嵌装しやすい。
【００１５】
本発明に係る補修方法は、一態様として、前記円筒状部材は樹脂材料により形成されていることが好ましい。
【００１６】
この構成によれば、円筒状部材の寸法を制御しやすい。また、円筒状部材の生産性を高めやすい。
【００１７】
本発明のさらなる特徴と利点は、図面を参照して記述する以下の例示的かつ非限定的な実施形態の説明によってより明確になるであろう。
【図面の簡単な説明】
【００１８】
【図１】本発明の実施形態に係る自動販売機の概略図
【図２】本発明の実施形態に係る商品取出部の概略図
【図３】本発明の実施形態に係る補修部材の概略図
【図４】本発明の別実施形態に係る補修部材の概略図
【図５】本発明の別実施形態に係る補修部材の概略図
【発明を実施するための形態】
【００１９】
本発明に係る自動販売機の商品取出口に設けられた取出口扉の、軸部の補修方法および補修部材の実施形態について、図面を参照して説明する。
【００２０】
〔自動販売機の概略構造〕
自動販売機１は、販売する商品を表示する商品表示部１１、使用者が購入する商品の選択を入力する入力部１２、現金および電子マネーの授受を行う代金授受部１３、使用者が選択した商品を排出する商品取出口１４、および商品貯蔵部（不図示）を備える（図１）。商品取出口１４は、自動販売機１の外扉の前面下方に設けられており、取出口扉２により開閉自在に閉鎖された開口部の内側に、商品貯蔵部から排出された商品が収容される商品受け部３が配された構造を有する（図２）。
【００２１】
取出口扉２は、自動販売機１の開口部を閉止する扉体２１と、扉体２１の左右上端に設けられた軸部２２とを備える。なお、軸部２２は外径１０．１ｍｍの略円柱形状を有する。商品取出口１４に排出された商品の視認性を確保するため、取出口扉２は透明であることが好ましい。また、取出口扉２の開閉を容易にするため、取出口扉２は重量が軽い材料により形成されることが好ましい。これらの条件を満たすため、扉体２１および軸部２２は、ポリカーボネートなどの無色透明な樹脂材料により一体に形成されている。なおこのとき、樹脂材料の射出成形により取出口扉２を製造できるため、組立工程を要さず容易に製造できる利点も得られる。
【００２２】
商品受け部３は、自動販売機１の外扉の裏側に設けられている（図２）。商品受け部３は、自動販売機１の本体側が開口しており、商品貯蔵部から排出された商品は当該開口を経て商品受け部３に収容される。商品受け部３の上部側左右の側壁部３１には、内径１２．２ｍｍの略円形の軸受部３２が設けられており、取出口扉２の左右の軸部２２は、それぞれ左右の軸受部３２に軸支されている。したがって、取出口扉２は軸部２２を軸心として回動自在に架設されている。なお、軸受部３２を貫通した軸部２２の端部の一方は、ダンパー部材（不図示）と係合している。
【００２３】
使用者が扉体２１を手前に引くと、取出口扉２が上方に回動し自動販売機１の外扉の前面に設けられた商品受け部３の開口部が開放されるので、使用者は商品受け部３に収容された商品を取り出すことができる。その後、使用者が扉体２１から手を離すと、取出口扉２はその自重により下方に回動する。なお、軸受部３２が係合するダンパー部材により軸受部３２の回動が制動されるため、取出口扉２はゆっくりと閉止する。そのため、取出口扉２の閉止動作において使用者が手を挟むおそれが少ない。
【００２４】
〔軸部の補修〕
上記の軸支構造より明らかなように、取出口扉２の全重量は、左右の軸部２２により支持される。また、取出口扉２は軸部２２を軸心として回動するため、軸部２２は軸受部３２による摩擦を受けやすい。このように、軸部２２は取出口扉を開く過度な力および自重、ならびに摩擦による負荷を受けやすい部位であるので、軸部２２において摩耗、ひび割れ、欠損、折損などの破損が生じやすい。このような破損が生じると、取出口扉２の開閉が円滑に行われなくなるおそれがある。また、ダンパー部材と係合する側の軸部２２が破損すると、取出口扉２の閉止動作においてダンパーの制動機能が損なわれる場合がある。これらの不具合は、自動販売機１における商品の販売に支障をきたすことがあるため、早期の補修が望まれる。
【００２５】
ところが、前述のように軸部２２は扉体２１と一体に形成されているので、軸部２２のみを交換することは不可能である。そのため従来は、取出口扉２の全体を交換する必要があった。すなわち、部分的な破損にもかかわらず取出口扉２の全体を交換する非効率な補修方法が強いられていた。
【００２６】
そこで、本実施形態では、円筒状の補修部材４を、軸部２２に嵌装する補修方法を採用する。補修部材４は、外径１２．４ｍｍ、内径１０．２ｍｍ、肉厚１．１ｍｍの略円筒形状を有する（図３）。ここで、軸部２２の外径は１０．０ｍｍであるので、補修部材４の内径１０．２ｍｍは軸部２２を嵌入可能な寸法である。また、軸受部３２の内径は１２．７ｍｍであるので、補修部材４の外径１２．４ｍｍは軸受部３２に挿入可能な寸法である。また、補修部材４は円筒状であり、軸受部３２に軸支可能な外形形状である。したがって、補修部材４を嵌装した軸部２２は、これを嵌装していない軸部２２と同様に、軸受部３２に回動自在に軸支されうる。
【００２７】
また、補修部材４の一端部には、ダンパー部材と係合可能な係合穴４１が設けられている。これにより、補修部材４を嵌装した軸部２２は、これを嵌装していない軸部２２と同様に、ダンパー部材と係合できる。以上の構造により、取出口扉２の開閉動作は、補修部材４の嵌装前後で何ら変化しない。
【００２８】
加えて、補修部材４の係合穴４１の他端部は、長手方向長さが非対称に形成されている。補修部材４を軸部２２に嵌装する際に、補修部材４の円筒状側面のうち長さが長い部分が扉体２１に部分的に重なるように嵌装できるので、補修部材４を軸部２２に嵌装した後の空転を防止することができる。
【００２９】
補修部材４は、ポリアセタール（ＰＯＭ）、ポリフェニレンサルファイド（ＰＰＳ）、ポリアミド（ＰＡ）、ポリテトラフルオロエチレン（ＰＴＦＥ）などの、耐摩耗性や滑り性などの観点で摺動部材に適した樹脂材料により形成される。補修部材４は、商品取出口１４において視認できる部材ではないので、透明な材料で形成される必要はない。そのため、取出口扉２を形成する透明な樹脂材料よりも耐摩耗性および滑り性の少なくとも一方が高い樹脂材料を、その色彩を問わずに採用しうる。これによって、補修後の再破損を防ぎやすい。なお、補修部材４は、具体的には上記樹脂材料の射出成形、切削加工などにより形成できる。
【００３０】
本実施形態の補修方法の手順は以下の通りである。まず、軸部２２が破損した取出口扉２を自動販売機１から取り外す。次に、取り外した取出口扉２の軸部２２に補修部材４を嵌装する。最後に、軸部２２に補修部材４を嵌装した取出口扉２を自動販売機１に再び取り付ける。このように、本実施形態の補修方法によれば、破損していない扉体２１を再利用可能な態様で、取出口扉２の軸部２２を補修できる。
【００３１】
〔その他の実施形態〕
以下では、本発明に係る補修方法および補修部材のその他の実施形態について説明する。なお、以下のそれぞれの実施形態で開示される構成は、矛盾が生じない限り、他の実施形態で開示される構成と組み合わせて適用することも可能である。
【００３２】
上記の実施形態では、補修部材４として図３を例示した。しかし、そのような構成に限定されることなく、図４に示した補修部材４´のように、長手方向長さが対称に形成されていてもよい。あるいは、図５に示した補修部材４´´のように、扉体の軸部を嵌入する部分と、商品取出口の軸受部に挿入する部分との外径が異なるように構成してもよい。
【００３３】
上記の実施形態では、軸部２２が外径１０．０５ｍｍの略円柱形状を有し、軸受部３２が内径１２．７ｍｍの略円形を有し、補修部材４が、外径１２．４ｍｍ、内径１０．１ｍｍ、肉厚１．１ｍｍの略円筒形状を有する構成を例として説明した。しかし、本発明に係る軸部、軸受部、および円筒状部材（補修部材）の形状および寸法は、軸部に円筒状部材を嵌装可能であり、かつ、円筒状部材を軸受部に軸支可能である限り、上記の例に限定されない。ただし、円筒状部材の外径が、軸受部の内径より０．６５〜０．８５ｍｍ小さいと、補修後の取出口扉の回動を行いやすい。また、円筒状部材の内径が、軸部の外径より０．２ｍｍ〜０．３ｍｍ大きいと、円筒状部材を軸部に確実に嵌装しやすい。なお、本明細書において記載のある各部寸法は一例であり、自動販売機の軸受けに合わせて寸法が設計されうる点は言うまでもない。
【００３４】
上記の実施形態では、補修部材４がポリアセタール（ＰＯＭ）、ポリフェニレンサルファイド（ＰＰＳ）、ポリアミド（ＰＡ）、ポリテトラフルオロエチレン（ＰＴＦＥ）などの、耐摩耗性や滑り性などの観点で摺動部材に適した樹脂材料により形成される構成を例として説明した。しかし、そのような構成に限定されることなく、本発明に係る円筒状部材（補修部材）を形成する材料は、樹脂材料（ポリアセタール（ＰＯＭ）、ポリフェニレンサルファイド（ＰＰＳ）、ポリアミド（ＰＡ）、ポリテトラフルオロエチレン（ＰＴＦＥ）など）、金属（冷間圧延鋼板（ＳＰＣＣ）、ステンレス、アルミニウム、アルミニウム合金など）、などであってよい。ただし、円筒状部材が樹脂材料により形成されると、円筒状部材の寸法を制御しやすい点、および、円筒状部材の生産性を高めやすい点で好ましく、ポリアセタール（ＰＯＭ）またはポリフェニレンサルファイド（ＰＰＳ）であることがより好ましい。
【００３５】
上記の実施形態では、軸部２２がダンパー部材に係合する構成を例として説明した。しかし、そのような構成に限定されることなく、本発明に係る補修方法は、ダンパー部材を備えない取出口扉にも、左右両側にダンパー部材を備える取出口扉にも適用できる。
【００３６】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。したがって、本発明の趣旨を逸脱しない範囲で改変された別の実施形態も、当然、本発明の範囲に含まれる。
【産業上の利用可能性】
【００３７】
本発明は、たとえば自動販売機の商品取出口に設けられた取出口扉の軸部の補修に利用できる。
【符号の説明】
【００３８】
１    ：自動販売機
１１  ：商品表示部
１２  ：入力部
１３  ：代金授受部
１４  ：商品取出口
２    ：取出口扉
２１  ：扉体
２２  ：軸部
３    ：商品受け部
３１  ：側壁部
３２  ：軸受部
４    ：補修部材
４１  ：係合穴
【図１】
2020177446.tif 000003
【図２】
2020177446.tif 000004
【図３】
2020177446.tif 000005
【図４】
2020177446.tif 000006
【図５】
2020177446.tif 000007